(57)【特許請求の範囲】
【請求項１】
上部側に開口部(11)を有し、側壁部(12c)側に物品の出し入れが可能な出し入れ口(13b)を有するケース本体(1a)と、
該出し入れ口(13b)を閉じることができる閉鎖板(3f)と、
該閉鎖板(3f)に設けてあり、上記開口部(11)を蓋体で閉じるか閉じないかに関係なく、出し入れ口(13b)を閉じた閉鎖板(3f)が外れないようにするストッパー(392a)と、
を備え、ケース本体(1a)の外側から閉鎖板(3f)の着脱ができるようにした収容ケースであって、
上記閉鎖板(3f)の上辺部に係止部(392)が設けてあり、出し入れ口(13b)の上部側に上記係止部(392)が背面側から係合される枠部(16)が設けてあり、
上記閉鎖板(3f)の下辺部に差込部(391)が設けてあり、出し入れ口(13b)の下部側に上記差込部(391)を嵌め入れ可能な係止受部(63)が設けてあり、
上記閉鎖板(3f)の両側辺部に係止受部(38,38)が設けてあり、出し入れ口(13b)の左右両側に上記係止受部(38,38)が正面側から係合される係止部(720,720)が設けてあり、
上記ストッパー(392a)は、上記枠部(16)の下面部(169)に当接または圧接することにより、出し入れ口(13b)を閉じた閉鎖板(3f)の上方向への動きを防止するか、または閉鎖板(3f)が出し入れ口(13b)から外れない限度で上方向への動きを防止して、閉鎖板(3f)を出し入れ口(13b)から外れないようにし、閉鎖板(3f)または／及び枠部(16)を撓ませるかまたは変形させて上記当接または圧接状態を解除することにより、閉鎖板(3f)を出し入れ口(13b)から取り外せるようにしてあることを特徴とする、
収納ケース。
【請求項２】
上部側に開口部(11)を有し、側壁部(12a)側に物品の出し入れが可能な出し入れ口(13)を有するケース本体(1)と、
上記ケース本体(1)に着脱可能で、ケース本体(1)の内部側から上記出し入れ口(13)を閉じることができる閉鎖板(3)と、
上記開口部(11)を閉じる蓋体(2)と、
を備え、
出し入れ口(13)の下部側または閉鎖板(3)の下部側の何れか一方に係止部が設けてあり、他方に上記係止部と係合して実質的に固定される係止受部が設けてあり、
上記蓋体(2)には、閉鎖板(3)で開口部(11)を閉じた際に、閉鎖板(3)の上部側を係止して閉鎖板(3)を実質的に固定する手段(22)が設けてあり、
ケース本体(1)内の底面側に木製の板体(5)が設けてあり、出し入れ口(13)の下部側に設けてある上記係止部または係止受部は、上記板体(5)の出し入れ口(13)側の側壁部(51)と、上記ケース本体(1)の出し入れ口(13)の下部側に位置する側壁部(131)とで形成される、閉鎖板(3)の下部側を嵌め入れ可能な隙間(175)で構成されていることを特徴とする、
収納ケース。
【請求項３】
上部側に開口部(11)を有し、側壁部(12a)側に物品の出し入れが可能な出し入れ口(13)を有するケース本体(1)と、
上記ケース本体(1)に着脱可能で、上記出し入れ口(13)を閉じることができる閉鎖板(3c)と、
を備え、
出し入れ口(13)の上部側または閉鎖板(3c)の上部側の何れか一方に係止部が設けてあり、他方には上記係止部と係合して実質的に固定される係止受部が設けてあり、
出し入れ口(13)の下部側または閉鎖板(3c)の下部側の何れか一方に係止部が設けてあり、他方に上記係止部と係合して実質的に固定される係止受部が設けてあり、
出し入れ口(13)の上部側と閉鎖板(3c)の上部側にそれぞれ設けてある係止部と係止受部を係合させ、係合した状態で閉鎖板(3c)を下ろして閉鎖板(3c)の下部側と出し入れ口(13)の下部側にそれぞれ設けてある係止部と係止受部を係合させることにより、閉鎖板(3c)はケース本体(1)の外側から出し入れ口(13)を閉じることができるように構成されており、
ケース本体(1)内の底面側に木製の板体(5)が設けてあり、出し入れ口(13)の下部側に設けてある上記係止部または係止受部は、上記板体(5)の出し入れ口(13)側の側壁部(51)と、上記ケース本体(1)の出し入れ口(13)の下部側に位置する側壁部(131)とで形成される、閉鎖板(3)の下部側を嵌め入れ可能な隙間(175)で構成されていることを特徴とする、
収納ケース。
【発明の詳細な説明】
【０００１】
【発明の属する技術分野】
本発明は収納ケースに関する。
更に詳しくは、ケース本体の側壁部側に設けてある出し入れ口に閉鎖板を簡単に着脱することができ、しかもケース本体を傾けたり、多少の衝撃を受けたとしても閉鎖板が簡単に抜け落ちない（外れない）ようにしたものに関する。
また、取り外し後の閉鎖板が紛失することを防止した収納ケースに関する。
更に、ケース本体の外側から出し入れ口への閉鎖板の取り付け、取り外しができるようにして、蓋体をケース本体に取り付けたままで、閉鎖板の着脱を可能にした収納ケースに関する。
また更に、物品を倒れないように収納できる収納ケース等に関する。
【０００２】
【従来技術】
例えば録画したビデオカセット等を収納するケースとして、図４２に示すようなプラスチック製の収納ケースＣ１が使用されている。この収納ケースＣ１は、上面側に開口部（符号省略）を備えたケース本体６１を有し、このケース本体６１の開口部に蓋体６２を被せることで構成される。符号６２１は、蓋体の固定に使用されるストッパーを示している。
【０００３】
収納ケースＣ１は、例えば録画したビデオカセット７,…を押し入れなどに保管しておく際に便利である。しかしながら、頻繁に出し入れするビデオカセット７の収納には、あまり適していない。
【０００４】
具体的に説明すれば、収納ケースＣ１からビデオカセット７を取り出すためには、一旦、蓋体６２を外さなければならない。特に、収納ケースＣ１を積み重ねて収容している場合、その作業が煩雑である。
また、テレビ台やサイドボードの中に収納ケースＣ１を収容した場合では、収納ケースＣ１をテレビ台やサイドボードから一旦外に取り出した後で、蓋体６２を外さなくてはならず、使い勝手が悪い。
【０００５】
そこで、本発明者は、ケース本体６１の側壁部６１１にビデオカセットの出し入れができる出し入れ口を設け、この出し入れ口を閉鎖板で塞ぐことができる収納ケースの開発に取り組んだ。
【０００６】
つまり、収納ケースを押し入れなどに保管しておく際は、ゴミや埃などが入らないように、出し入れ口を閉鎖板で閉じて使用する。一方、収納ケースを例えば部屋の中で使う際は、ビデオカセットの出し入れがしやすいように、出し入れ口を開けて使用する。
【０００７】
ところで、例えば実開平６−６５２２４号公報（図４３参照）には、整理用収納ケースＣ２が開示されている。この整理用収納ケースＣ２は、ケース本体７１の側壁部７１１に取出口７２を設け、この取出口７２から中に収納した衣類等を取り出せるようにしたものである。
【０００８】
図４３に示すように、取出口７２には、下辺部を中心として回動可能に設けられた閉鎖板である扉体７３が設けてある。そして、この扉体７３を外側に倒すことで、中の衣類等を取り出すことができる。
【０００９】
この整理用収納ケースＣ２の取出口構造を、上記したビデオカセットの収納ケースＣ１（図４２参照）に採用すれば、ビデオカセットを出し入れする際の煩雑さは、一応軽減できる。
【００１０】
【発明が解決しようとする課題】
しかしながら、図４３に示すように、扉体７３を開くと、ケース本体７１の正面側にその扉体７３が張り出してしまう。特に、図４２でケース本体６１の長手方向の側壁部６１１にこの扉構造を採用した場合、扉体はかなりの大きさになるため、ビデオカセットを頻繁に出し入れする場合は、扉体そのものが邪魔で、且つ、開け閉めがしにくい。
【００１１】
そこで、例えば図４４に示すように、閉鎖板８１を出し入れ口８２から着脱可能にする構造が考えられる。つまり、閉鎖板８１を左右方向にスライドさせて嵌め入れ・取外しできるように、出し入れ口８２の上辺側と下辺側にガイド溝８３，８４を設ける。
【００１２】
この閉鎖板８１の着脱構造を採用した場合、閉鎖板８１をガイド溝８３，８４にややきつく嵌め込んで固定できるような構造としなければならない。なぜなら、収納ケースＣ３を斜めに傾けた際に（例えば収納ケースＣ３を押し入れの上段などにしまうときなどに）、閉鎖板８１が外れて抜け落ちることを防止するためである。
しかしながら、閉鎖板８１をきつく嵌め込んで固定すればするほど、閉鎖板８１の着脱に大きな力が必要となり、着脱が容易にできないという欠点がある。
【００１３】
また、閉鎖板８１を外すときは、閉鎖板８１の長手方向の長さの分、閉鎖板８１を引き出す必要があり、作業が煩雑で、狭い場所での着脱は困難である。
【００１４】
更に、一旦外した閉鎖板８１は、どこか所要の場所に保管しておく必要があるが、その保管場所を忘れて紛失してしまう可能性もある。
【００１５】
（発明の目的）
そこで本発明の目的は、ケース本体の側壁部側に設けてある出し入れ口に閉鎖板を簡単に着脱することができ、しかもケース本体を傾けたり、多少の衝撃を受けたとしても閉鎖板が簡単に抜け落ちない（外れない）ようにした収納ケースを提供することにある。
【００１６】
本発明の他の目的は、取り外した後の閉鎖板が紛失することを防止した収納ケースを提供することにある。
【００１７】
本発明の他の目的は、ケース本体の外側から出し入れ口への閉鎖板の取り付け、取り外しができるようにして、蓋体をケース本体に取り付けたままで、あるいはケース本体を積み重ねた状態で、閉鎖板の着脱を可能にした収納ケースを提供することにある。
【００１８】
本発明の他の目的は、物品を倒れないように収納できる収納ケースを提供することにある。
【００１９】
本発明の他の目的は、積み重ねることで収納棚（例えばＣＤラックや本棚等）のようにして使用することができ、特にケース本体から頻繁に出し入れするような物品の収容に好適な収納ケースを提供することにある。
【００２０】
本発明の他の目的は、立てた状態で収容する物品（本や書類等）の傾倒を防止した収納ケースを提供することにある。
【００２１】
【課題を解決するための手段】
第１の発明にあっては、
上部側に開口部を有し、側壁部側に物品の出し入れが可能な出し入れ口を有するケース本体と、
該出し入れ口を閉じることができる閉鎖板と、
該閉鎖板に設けてあり、上記開口部を蓋体で閉じるか閉じないかに関係なく、出し入れ口を閉じた閉鎖板が外れないようにするストッパーと、
を備え、ケース本体の外側から閉鎖板の着脱ができるようにした収容ケースであって、
上記閉鎖板の上辺部に係止部が設けてあり、出し入れ口の上部側に上記係止部が背面側から係合される枠部が設けてあり、
上記閉鎖板の下辺部に差込部が設けてあり、出し入れ口の下部側に上記差込部を嵌め入れ可能な係止受部が設けてあり、
上記閉鎖板の両側辺部に係止受部が設けてあり、出し入れ口の左右両側に上記係止受部が正面側から係合される係止部が設けてあり、
上記ストッパーは、上記枠部の下面部に当接または圧接することにより、出し入れ口を閉じた閉鎖板の上方向への動きを防止するか、または閉鎖板が出し入れ口から外れない限度で上方向への動きを防止して、閉鎖板を出し入れ口から外れないようにし、閉鎖板または／及び枠部を撓ませるかまたは変形させて上記当接または圧接状態を解除することにより、閉鎖板を出し入れ口)から取り外せるようにしてあることを特徴とする、
収納ケースである。
【００２２】
第２の発明にあっては、
上部側に開口部を有し、側壁部側に物品の出し入れが可能な出し入れ口を有するケース本体と、
上記ケース本体に着脱可能で、ケース本体の内部側から上記出し入れ口を閉じることができる閉鎖板と、
上記開口部を閉じる蓋体と、
を備え、
出し入れ口の下部側または閉鎖板の下部側の何れか一方に係止部が設けてあり、他方に上記係止部と係合して実質的に固定される係止受部が設けてあり、
上記蓋体は、閉鎖板で開口部を閉じた際に、閉鎖板の上部側を係止して閉鎖板を実質的に固定する手段が設けてあり、
ケース本体内の底面側に木製の板体が設けてあり、出し入れ口の下部側に設けてある上記係止部または係止受部は、上記板体の出し入れ口側の側壁部と、上記ケース本体の出し入れ口の下部側に位置する側壁部とで形成される、閉鎖板の下部側を嵌め入れ可能な隙間で構成されていることを特徴とする、
収納ケースである。
【００２３】
第３の発明にあっては、
上部側に開口部を有し、側壁部側に物品の出し入れが可能な出し入れ口を有するケース本体と、
上記ケース本体に着脱可能で、上記出し入れ口を閉じることができる閉鎖板と、
を備え、
出し入れ口の上部側または閉鎖板の上部側の何れか一方に係止部が設けてあり、他方には上記係止部と係合して実質的に固定される係止受部が設けてあり、
出し入れ口の下部側または閉鎖板の下部側の何れか一方に係止部が設けてあり、他方に上記係止部と係合して実質的に固定される係止受部が設けてあり、
出し入れ口の上部側と閉鎖板の上部側にそれぞれ設けてある係止部と係止受部を係合させ、係合した状態で閉鎖板を下ろして閉鎖板の下部側と出し入れ口の下部側にそれぞれ設けてある係止部と係止受部を係合させることにより、閉鎖板はケース本体の外側から出し入れ口を閉じることができるように構成されており、
ケース本体内の底面側に木製の板体が設けてあり、出し入れ口の下部側に設けてある上記係止部または係止受部は、上記板体の出し入れ口側の側壁部と、上記ケース本体の出し入れ口の下部側に位置する側壁部とで形成される、閉鎖板の下部側を嵌め入れ可能な隙間で構成されていることを特徴とする、
収納ケースである。
【００３４】
本発明にいう「立てた状態で収容する物品」としては、例えば書類等を入れた封筒、本、雑誌、新聞、冊子、書類、ファイルケース、コンパクトディスク（ＣＤ）やディジタルビデオディスク（ＤＶＤ）等の光記録媒体、音楽用カセットテープやビデオカセットテープ等の磁気記録媒体等を挙げることができるが、特にこれらに限定されない。
【００３５】
（作  用）
ケース本体の開口部を閉じる蓋体を有しているものは、ケース本体の内部側に閉鎖板の下部側を係止し、閉鎖板の上部側を蓋体によって上から係止することで、閉鎖板で出し入れ口を閉じることができる。
このように、少なくとも閉鎖板の上部側と下部側を部分的に係止すれば良いので、閉鎖板を簡単に着脱することができる。
また、閉鎖板は蓋体で閉じたケース本体の内部に設けられるので、収納ケースを傾けたり、多少の衝撃を受けたとしても閉鎖板は簡単に抜け落ちることはない。
【００３６】
蓋体またはケース本体の一方または双方に、積み重ねた際に、実質的に蓋体とケース本体の位置がずれないようにするための手段が設けてあるもの、またはケース本体同士が積み重ねできるように構成されており、ケース本体に、積み重ねた際にケース本体同士の位置がずれないようにするための手段が設けてあるものは、閉鎖板を外した状態でケース本体を多数積み重ねれば、例えばＣＤラックや本棚のようにして収納ケースを使用できる。したがって、ケース本体から頻繁に出し入れするような物品の収容に、特に好適に使用できる。また、閉鎖板をケース本体の外側から着脱できるように構成すれば、収納ケースを多数積み重ねて蓋体を外せない場合でも、閉鎖板を外すことで出し入れ口から物品の出し入れが自由にできる。
【００３７】
出し入れ口の上部側と閉鎖板の上部側にそれぞれ設けてある係止部と係止受部を係合させ、係合した状態で閉鎖板を下ろして閉鎖板の下部側と出し入れ口の下部側にそれぞれ設けてある係止部と係止受部を係合させることにより、閉鎖板がケース本体の外側から出し入れ口を閉じることができるように構成されているものは、閉鎖板の上下方向の操作だけで、出し入れ口に閉鎖板を簡単に着脱することができる。
しかも閉鎖板は上下方向から確実に係止されているので、収納ケースを傾けたとしても、閉鎖板が容易に抜け落ちることはない。
また、ケース本体の外側から出し入れ口への閉鎖板の取り付け、取り外しができるので、蓋体をケース本体に取り付けたままで、閉鎖板の着脱が可能である。
【００３８】
ケース本体内の底面側に木製の板体が設けてあるものでは、木目の美しさや温かさといった、木そのものが持つ素材の良さを備えた収納ケースを得ることができる。また、木製の板体を使用することで、ケース本体の主に底部側の強度を上げることができる。これにより、例えば百科事典などの重量の物品を収納した場合でも、ケース本体の変形や破損を防止することができる。
【００３９】
ケース本体の出し入れ口が設けてある側壁部と対向する側壁部の内側に、上記出し入れ口から取り外した閉鎖板を収容できる収容部が設けてあるものは、閉鎖板を取り外した後に、閉鎖板が紛失することを防止できる。
【００４０】
ケース本体に、収納した物品が倒れないように支えるための支持部材が設けてあるものでは、物品を倒れないように収納できる。
【００４１】
閉鎖板が出し入れ口から外れないようにするストッパーが設けてあるものでは、ストッパーの作用により、出し入れ口を閉じた閉鎖板の上方向への動きが防止されるか、または閉鎖板が出し入れ口から外れない限度で上方向への動きが防止されている。
よって、閉鎖板を出し入れ口から取り外す際は、まずストッパーの働き（係止または固定）を解除して閉鎖板の上方向への動きを自由にする。そして、閉鎖板を上方向に動かして、閉鎖板の下部側と出し入れ口の下部側にそれぞれ設けてある係止部と係止受部の係合状態を解除する。続いて、閉鎖板の上部側と出し入れ口の上部側にそれぞれ設けてある係止部と係止受部の係合状態も解除し、閉鎖板を出し入れ口から取り外す。
このようにストッパーの働きを解除しなければ、閉鎖板を上方向に動かして閉鎖板を取り外すことができないので、多少の衝撃を受けたとしても、出し入れ口から閉鎖板が簡単に外れるような恐れはない。
【００４２】
ストッパーが閉鎖板に設けてあるものでは、出し入れ口の枠部にストッパーが当接または圧接することにより、閉鎖板が出し入れ口から外れないようになっている。そして、閉鎖板を出し入れ口から取り外す際は、閉鎖板または／及び枠部を撓ませるかまたは変形させて、上記ストッパーの当接または圧接状態を解除する。このように、複雑な操作をしなくても、単に閉鎖板または／及び枠部を撓ませるかまたは変形させるだけでストッパーの働きを解除することができるので、閉鎖板の取り外しが楽である。
【００４３】
立てた状態で収容する本や書類等の物品の傾倒を防止する滑り止め手段がケース本体の底部内面側に設けてあるものでは、滑り止め手段によって本や書類等の下端部が滑りにくくなり、傾倒が防止される。したがって、ブックエンド等を本や書類等の側面にあてがう煩わしさがなく、利便性が高い。
【００４４】
【発明の実施の形態】
本発明を図面に示した実施の形態に基づき更に詳細に説明する。
［実施の形態１］
図１ないし図７は、本発明に係る収納ケースの第１の実施の形態を示す説明図である。
図１は収納ケースの斜視説明図、
図２は蓋体を外した状態のケース本体の斜視説明図、
図３は収納ケースの使用状態を示す斜視説明図、
図４はケース本体の正面視説明図、
図５はケース本体の平面視説明図、
図６は蓋体の底面視説明図、
図７は図１に示す収納ケースを幅方向に断面した状態を示す拡大説明図である。
【００４５】
収納ケースＡ１は、図１に示すように、ケース本体１、蓋体２及び閉鎖板３を備えている。収納ケースＡ１は、透明または半透明あるいは不透明な合成樹脂を材料とした一体成形により得ることができる。
【００４６】
本実施の形態では、図３に示すように、例えばコンパクトディスクＢ（本明細書では特に断らない限り「ＣＤ」と略称する）を多数一列に収納可能なケースとして、その大きさを予め設定している。
【００４７】
しかしながら、収納する物品は特にＣＤに限定するものではない。収納対象となる物品としては、ＣＤ以外に、例えば音楽用カセットテープやビデオカセットテープ、本や雑誌類、書類やファイルケース、衣類、あるいは野菜や果物等のその他の物品を挙げることができるが、特にこれらに限定されない。また、収納ケースの寸法は、収納する物品に応じて適宜設定される。
【００４８】
ケース本体１は、図２に示すように、上面側に開口部１１を備え、有底で平面視方形状に形成されている。蓋体２は、開口部１１を閉じることができる大きさで、同じく平面視方形状に形成されている。
【００４９】
ケース本体１の長手方向の一方側を構成する側壁部１２ａには、方形状の出し入れ口１３が開口して設けてある。そして、この出し入れ口１３の内側には、出し入れ口１３を閉じることができる方形状の閉鎖板３が着脱可能に設けてある。
【００５０】
以上のような構成により、閉鎖板３を外せば、図３に示すように、蓋体２を取り付けたまま、出し入れ口１３から物品の出し入れができる。
以下、収納ケースＡ１の各構成部材について、順を追って詳しく説明する。
【００５１】
まず、ケース本体１について説明する。
図４に示すように、ケース本体１は、下方へ向けややすぼまるように各側壁部がやや斜めに設けてある。これにより、蓋体２を外したケース本体１同士を多数重ねることができるので、運搬時や保管時の収納スペースが小さくて済む。なお、各側壁部を底部に対して垂直またはほぼ垂直状態にして、ケース本体１を形成することもできる。
【００５２】
図２に示すように、ケース本体１の出し入れ口１３が設けてある側壁部１２ａの内面側には、閉鎖板３の少なくとも下部側の所要位置を係止する手段である係止部１４ａ，１４ａが所要の隙間をもって設けてある。各係止部１４ａは、閉鎖板３を差し込んで支持する方形状の板体である。各係止部１４ａは、図２及び図５に示すように、出し入れ口１３の左右両側に側壁部１２ａと所要間隔をおいて並設してある。係止部１４ａ，１４ａと側壁部１２ａの間の隙間に差し込んで、閉鎖板３をケース本体１の内側に倒れないように支持できる。
【００５３】
なお、本実施の形態では、係止部１４ａ，１４ａは側壁部１２ａの下方側に所要の高さで設けてあるが、側壁部１２ａの高さ方向全体に連続的または断続的に設けることもできる。
【００５４】
また、図２に示すように、出し入れ口１３が設けてある側壁部１２ａと対向する（向かい合わせに位置する）側壁部１２ｂの内側には、上記した係止部１４ａ，１４ａと同じか大体同じ形状の係止部１４ｂ，１４ｂが所要の隙間をもって設けてある。
【００５５】
この係止部１４ｂ，１４ｂにより、出し入れ口１３から外した閉鎖板３を着脱可能に収容できる収容部１５が構成される。この構造により、閉鎖板３の不使用時に、閉鎖板３を背面側の収容部１５に収容しておくことで、閉鎖板３の紛失を防止できる。なお、この背面側の係止部１４ｂ，１４ｂを設けないで、ケース本体１を構成することもできる。
【００５６】
図２及び図５に示すように、出し入れ口１３の上部側に位置するケース本体１のフランジ部１６ａには、出し入れ口１３と面一または実質的に面一になるようにして連続して切欠部１６１が設けてある。
この切欠部１６１は、例えば金型を使用したプラスチック成形によりケース本体１を製造する場合に、出し入れ口１３を成形する金型を抜くとき、あるいは金型から成形品であるケース本体１を抜くときに形成されるものである。ただし、ケース本体１の成形に支障がなければ、切欠部１６１を省略することもできる。
【００５７】
出し入れ口１３の下部側に位置する側壁部１３１は、ケース本体１の底部１７の内側よりもやや高く形成されている。これにより、内部に収納した物品が出し入れ口１３から容易に抜け落ちないようになっている。
【００５８】
本実施の形態では、出し入れ口１３は、側壁部１２ａのほぼ全体に開口して設けてある。しかしながら、特にこれに限定するものではなく、収納する物品の形態によっては、側壁部１２ａの上部側または下部側のみ、あるいは側壁部１２ａの左側または右側に偏らせて形成することもできる。
【００５９】
次に、蓋体２について説明する。
図１に示すように、蓋体２の長手方向の両側には、蓋体２をケース本体１に固定する手段であるストッパー２１，２１が設けてある。このストッパー２１，２１を上から回動させて、ケース本体１のフランジ部１６ｂ，１６ｃ（図１では見えず、図２参照）を係合させることにより、ケース本体１に蓋体２を固定できる。このストッパー構造は、図示したものに特に限定するものではなく、公知のものを採用することができる。
【００６０】
また、図１、図６及び図７に示すように、蓋体２の底面側には、閉鎖板３の上部側を係止して、閉鎖板３を実質的に固定する手段である係止部２２,…が設けてある。係止部２２,…は、図７に示すように、閉鎖板３の上部側を開口部１３（ケース本体１）の内側から係止するものである。係止部２２は、薄板状の突起物で、図６に示すように、蓋体２底面の幅方向の両側に、所要間隔をおいて複数設けてある。係止部２２によって閉鎖板３の上部側は実質的に固定されるが、多少前後に移動しても差し支えない。
【００６１】
そして、図７に示すように、閉鎖板３が嵌め入れられたケース本体１に蓋体２を取り付けた場合、蓋体２の係止部２２,…が開口部１３（ケース本体１）の内側から閉鎖板３の上部側を支持（係止）して、閉鎖板３が内側に傾かないように防止する。なお、背面側の側壁部１２ｂ側に閉鎖板３を嵌め入れた場合も、係止部２２,…は同様に作用する。
【００６２】
各係止部２２は、図７に示すように、側面視で下端部の角部２２１，２２１が丸く形成されている。これにより、ケース本体１に蓋体２を上方から被せたときに、閉鎖板３の上端部が各係止部２２の角部２２１に当たって案内され、閉鎖板３はスムーズにフランジ部１６ａの内側と係止部２２の間の隙間に挟み込まれる。
【００６３】
蓋体２の上面側には、ケース本体１の底部形状に合致するように凹部２３が形成されている。これにより、収納ケースＡ１,…を安定した状態で多数積み重ねることができる。なお、凹部２３は、蓋体２とケース本体１の位置が実質的にずれないようにするための手段である。また、蓋体２の上部側にピンのような突起物を設け、ケース本体１の底部側にはその突起物を嵌入れ可能な孔を設けることもできる。この蓋体２とケース本体１の位置が実質的にずれないようにするための手段は、上記したものに特に限定するものではなく、公知技術を採用することができる。
【００６４】
（作  用）
図１ないし図３を参照して、収納ケースＡ１の作用を説明する。
収納ケースＡ１によれば、図３に示すように、閉鎖板３を予めケース本体１から取り外しておくことができる。したがって、中の物品を頻繁に出し入れする場合には、蓋体２をその都度取り外すことなく、出し入れ口１３が設けてある側面側から物品の出し入れができる。よって、中の物品を頻繁に出し入れする場合には、蓋体２を開ける手間がいらないので便利である。
【００６５】
更に、収納ケースＡ１を多数積み重ねた状態でも、出し入れ口１３から物品の出し入れが可能である。よって、収納ケースを多数積み重ねれば、例えばＣＤラック（収納棚）のようにして使用することもできる。
【００６６】
一方、図１に示すように、閉鎖板３で出し入れ口１３を塞げば、出し入れ口１３からゴミや埃などが入らないので、収納ケースＡ１を押し入れなどに保管しておく際に便利である。また、出し入れ口１３を塞げば、物品が収納ケースＡ１から抜け落ちる心配はないので、収納ケースＡ１を運搬する場合にも支障はない。
【００６７】
収納ケースＡ１によれば、図２に示すように、出し入れ口１３の下方両側に設けた係止部１４ａ，１４ａに閉鎖板３を差し込むだけで、閉鎖板３を簡単に取り付けできる。また、取外しも係止部１４ａ，１４ａから閉鎖板３を抜くだけでよい。このように、図４４に示した収納ケースＣ３と相違して、閉鎖板３の着脱に大きな力が必要なく、容易に着脱できる。
【００６８】
また、図１に示すように、閉鎖板３は蓋体２で閉じたケース本体１の内部に設けられるので、収納ケースＡ１を傾けたとしても閉鎖板３は抜け落ちない。
【００６９】
更に、閉鎖板３は、図３に示すように、閉鎖板３の不使用時に背面側の収容部１５に収容できるので、閉鎖板３の紛失を防止できる。
【００７０】
なお、本実施の形態では、出し入れ口１３をケース本体１の長手方向の側壁部の一方側に設けているが、側壁部の両方に設けることもできる。また、長手方向の両側に出し入れ口１３を設けた場合、閉鎖板３も各出し入れ口１３に対応するようにそれぞれ（合計二箇所）設けることもできる。
【００７１】
また同様に、出し入れ口１３をケース本体１の幅方向の側壁部（符号省略）の一方または両方に設けることもできる。
【００７２】
更に、少なくとも閉鎖板３を透明または半透明に形成すれば、閉鎖板３を取り付けた状態でも、側面側から収納した物品が特定できるので、利便性が高い。
【００７３】
［実施の形態２］
図８ないし図９は、本発明に係る収納ケースの第２の実施の形態を示す説明図である。
図８は収納ケースの使用状態を示す斜視説明図、
図９は収納ケースのスタンド機能を説明する部分拡大説明図である。
【００７４】
なお、第１の実施の形態に係る収納ケースＡ１と同一または同等箇所には同一の符号を付して示しており、当該箇所については説明を省略して主に相異点を説明する。また、収納ケースの作用・効果についても同様である。これについては、後述する他の実施の形態に係る収納ケースＡ２〜Ａ６についても同様である。
【００７５】
図８に示す収納ケースＡ２では、第１の実施の形態に係る収納ケースＡ１（図３参照）と相違して、物品が倒れないように収納できるスタンド機能を備えている。
【００７６】
即ち、ケース本体１の底部１７内面に、支持部材であるスタンド４を案内する溝であるガイド溝１８を設け、そのガイド溝１８にスタンド４を立てて使用する。
【００７７】
ガイド溝１８は、ケース本体１の底部１７内面の幅方向のほぼ中央部分に、ほぼ全長に渡り設けてある。ガイド溝１８は、平面視で鋸の歯のように略三角形状に切り欠いた切欠部である係合部１８１を備え、この係合部１８１はガイド溝１８の長辺の一方側に等間隔（あるいは所要間隔）で複数設けてある。
【００７８】
スタンド４は、図９に示すように、物品を支える長方形の板体である支持部４１と、支持部４１を支える板状の足部４２を備えている。足部４２は、ガイド溝１８に嵌め入れ可能であり、ガイド溝１８の形状と合致するように形成されている。詳しくは、足部４２は、ガイド溝１８の係合部１８１に合致する略三角形状の係止部４２１を備えている。
【００７９】
また、スタンド４をガイド溝１８に嵌め入れたときに、足部４２の上面部とケース本体１の底部１７表面とは面一または実質的に面一となり、段差が生じない。これにより、物品の出し入れをスムーズに行うことができる。
【００８０】
更に、スタンド４の支持部４１は、出し入れ口１３側から手が届くように大きく形成されている。これにより、ガイド溝１８に対するスタンド４の位置を、出し入れ口１３から容易に調整することができる。したがって、図８の状態で、更にコンパクトディスクＢを増やしたり、減らしたりしても、スタンド４の位置を調整すれば、コンパクトディスクＢを確実に支えることができる。
【００８１】
なお、ガイド溝１８は、ケース使用中に指が触れて怪我することがないように、角部（符号省略）を丸く落として形成することもできる。
【００８２】
また、ガイド溝１８の係合部１８１を長辺両側に設け、且つ、スタンド４の足部４２に設けてある係止部４２１も、同様に両側に設けることもできる。
【００８３】
更に、使用するスタンド４は必ずしも一つとは限らず、複数使用することもできる。ガイド溝１８についても、一カ所とは限らず、複数設けることもできるし、連続的ではなく、断続的に設けることもできる。
【００８４】
本実施の形態では、スタンド４はその位置を調整できるように構成しているが、スタンド４をケース本体１に固定して設けることもできる。その場合、スタンド４は長手方向に一カ所だけではなく、複数箇所設けることが好ましい。
【００８５】
また、スタンド４は、ケース本体１の底面側に立てて固定するようにしているが、その他の場所（例えば背面側の側壁部や蓋体側）に固定できるように構成することもできる。この場合のスタンド４の構造は、公知技術を採用することができるので、ここでは説明を省略する。
【００８６】
［実施の形態３］
図１０は、本発明に係る収納ケースの第３の実施の形態を示し、閉鎖板を嵌め入れている状態を示すケース本体の斜視説明図である。
【００８７】
収納ケースＡ３では、第１の実施の形態に係る収納ケースＡ１のケース本体１（図２参照）と相違して、出し入れ口１３ａが側壁部１２ａの下端部まで開口している。そして、出し入れ口１３ａの下縁部１３２とケース本体１の底部１７表面は、面一または実質的に面一になっている。このように、出し入れ口１３ａ側には段差がないので、物品の出し入れをスムーズに行うことができる。
【００８８】
また、出し入れ口１３ａの下縁部１３２を底部１７表面と面一または実質的に面一にしたことで、図２で示したような側壁部１３１は無くなり、ケース本体１が閉鎖板３ａを支持する部分は、両端側の係止部１４ａ，１４ａだけとなる。このため、閉鎖板３ａを取付けた際の安定性が損なわれないように、以下の構成としている。
【００８９】
即ち、本実施の形態では、閉鎖板３ａの下端部に、突起状の差込片３１が所要間隔をおいて二箇所または所要箇所設けられ、ケース本体１にはその差込片３１，３１を嵌め入れる孔である係合孔１７２，１７２が設けられている。これにより、閉鎖板３ａがケース本体１に確実に固定され、上記したような不都合は生じにくい。
【００９０】
また、出し入れ口１３が設けてある側壁部１２ａと対向する（向かい合わせに位置する）側壁部１２ｂ側にも、同様に係合孔１７２，１７２が設けてある。この係合孔１７２の作用は同じである。
なお、係合孔１７２及び差込片３１の数と位置は、上記したものに限定するものではなく、例えば出し入れ口１３ａの大きさによっても適宜設定できる。
【００９１】
また、図示はしていないが、閉鎖板３ａの上部側は、図７に示すように、蓋体２に設けてある係止部２２,…で係止されることは同じである。これについては、後述する第４及び第５の実施の形態についても同様である。
【００９２】
更に、本実施の形態では、収納ケースＡ３にスタンド機能が備えられているが、必ずしも備えられていなくても良い。これについては、後述する他の実施の形態についても同様である。
【００９３】
［実施の形態４］
図１１は、本発明に係る収納ケースの第４の実施の形態を示し、閉鎖板を嵌め入れている状態を示すケース本体の斜視説明図である。
【００９４】
収納ケースＡ４では、ケース本体１の出し入れ口１３の下部側に位置する側壁部１３１に沿って、細長い板状の係止部材１４ｃが設けられている。係止部材１４ｃの両端側は、第１の実施の形態（図１参照）と同様、方形状の板体となっている。この係止部材１４ｃと側壁部１３１によって、閉鎖板３ｂの下端部を嵌め入れ可能な係合溝１７３を構成している。この係合溝１７３は、閉鎖板の少なくとも下部側の所要位置を係止する手段である。この係合溝１７３により、閉鎖板３ｂを装着した際に、閉鎖板３ｂがより安定してケース本体１に固定される。
【００９５】
なお、係止部材１４ｃを設けることで、主にケース本体１の出し入れ口１３側の強度も向上させることができる。
【００９６】
更に、閉鎖板３ｂの下端部のほぼ中央には、切欠部３２が設けられている。この切欠部３２に対応するケース本体１の係合溝１７３には、突起状の係止部１７４が形成されている。これにより、閉鎖板３ｂを装着した際の閉鎖板３ｂの左右方向（ケース本体１の長手方向）へのがたつきを防止している。
【００９７】
なお、係合溝１７３に溜まったゴミや埃を掃除しやすいように、係合溝１７３にゴミや埃を排出する穴（図示省略）をケース本体１に貫通して形成することもできる。
【００９８】
［実施の形態５］
図１２は、本発明に係る収納ケースの第５の実施の形態を示し、閉鎖板を嵌め入れている状態を示すケース本体の斜視説明図である。
【００９９】
収納ケースＡ５では、第１ないし第５の実施の形態に係る収納ケースＡ１（図２参照）と相違して、閉鎖板３をケース本体１に嵌め入れるための板状の係止部１４ａ，１４ａは設けられていない。その代わり、ケース本体１内の底部側に木製の板体５が設けてある。板体５は、ケース本体に嵌め入れ可能で、且つ、底部とほぼ同じ大きさである。
【０１００】
また、側壁部１３１と板体５の上面部は面一または実質的に面一になっているが、特にこれに限定されない。
【０１０１】
以上のような構成により、上記板体５の出し入れ口１３側の側壁部５１とケース本体１の出し入れ口１３の下部側に位置する側壁部１３１とで形成される隙間によって、係止溝１７５が構成される。係止溝１７５は、閉鎖板３の少なくとも下部側の所要位置を係止する手段である。この係止溝１７５に閉鎖板３の下部側を差し込むことで、閉鎖板３を固定することができる。
また、第１の実施の形態と同様に、背面側の側壁部１２ｂ側に閉鎖板３を差し込んで収容することもできる。
【０１０２】
更に、板体５を使用することで、ケース本体１の主に底部側の強度を上げることができる。これにより、例えば百科事典などの重量のある物品を収納した場合でも、ケース本体１の変形や破損を防止することができる。
【０１０３】
板体５は、木製材料の他、ゴムや合成樹脂などの他の材料、あるいはそれらの複合物等で形成することもできる。ただし、板体５を木製材料で形成することで、木目の美しさや温かさといった、木そのものが持つ素材の良さを備えた収納ケースＡ５を得ることができる。
【０１０４】
また、ケース本体１の強度に支障が生じない程度に、ケース本体１底部の中央部分を開口すれば、原料である合成樹脂の量を減らして、材料コストを抑えることができる。
【０１０５】
［実施の形態６］
図１３ないし図１７は、本発明に係る収納ケースの第６の実施の形態を示す説明図である。
図１３はケース本体に閉鎖板を取り付けている状態を示す収納ケースの斜視説明図、
図１４は閉鎖板を取り付けた状態を示す収納ケースの斜視説明図、
図１５は閉鎖板の正面視説明図、
図１６は閉鎖板を取り付けた状態のケース本体の正面視説明図、
図１７は、図１６に示すケース本体のＩ−Ｉ部分に対応する断面を示す拡大説明図で、中央部分を一部省略して表している。
【０１０６】
収納ケースＡ６では、第１の実施の形態に係る収納ケースＡ１（図１参照）と相違して、出し入れ口１３を開閉可能な閉鎖板３ｃをケース本体１の側面側から着脱（取り付け、取り外し）することができる。
即ち、第１の実施の形態では、蓋体２を一旦外さないと閉鎖板３ｃの着脱ができないのに対し、本実施の形態では、蓋体２を取り付けたままで閉鎖板３ｃの着脱が可能である。
以下、収納ケースＡ６の各構成部材について、順を追って詳しく説明する。
【０１０７】
まず、ケース本体１について説明する。
閉鎖板３ｃは出し入れ口１３の外側から設けられるので、第１の実施の形態と相違して、蓋体２の底部側には閉鎖板３ｃを側壁部１２ａの内側から係止する突起状の係止部２２（図１参照）は設けられていない。
【０１０８】
図１３、図１４、図１６及び図１７で点線で表した符号１６２は、ケース本体１の正面側のフランジ部１６ａの内側（下部側）に３カ所設けられたリブ（以下、縦リブという）を示している。この縦リブ１６２は、フランジ部１６ａの補強のために設けられている。
【０１０９】
図１７に示すように、正面側のフランジ部１６ａの内側には、閉鎖板３ｃの上部側を係止する手段である収容部１６３が設けてある。
収容部１６３は、フランジ部１６ａの内側に設けてあり、ケース本体１の長手方向に細長く設けてある板状のリブ１６４（以下、横リブという）とフランジ部１６ａの係止片である内壁部１６５の隙間によって構成される。
【０１１０】
また、図１４及び図１６に示すように、正面側のフランジ部１６ａの左右両側付近には、嵌め入れられる閉鎖板３ｃを両側から挟むように支持する手段であるガイド片１６６がそれぞれ（合計二箇所）設けてある。各ガイド片１６６は方形状の板体で構成されている。
【０１１１】
次に、閉鎖板３ｃについて説明する。
図１３及び図１５に示すように、閉鎖板３ｃは、出し入れ口１３を塞ぐ大きさで方形状に形成されている。閉鎖板３ｃは、正面視でほぼ中央にＴ字状の把手３３を有している。閉鎖板３ｃの上端部には、閉鎖板３ｃをケース本体１に取り付けたときに、フランジ部１６ａの縦リブ１６２,…が嵌め入れられる切欠部３４,…が所要数（本実施の形態では三カ所）設けてある。なお、この切欠部３４,…は、フランジ部１６ａに縦リブ１６２,…が設けられていない場合はかならずしも必要ない。
【０１１２】
図１３及び図１７に示すように、閉鎖板３ｃの上部側は段部１３３を有し、側面視で略Ｌ字状となっている。これにより、閉鎖板３ｃで出し入れ口１３を閉じた際に、閉鎖板３ｃが側壁部１２ａにより密接した状態で位置し、閉鎖板３ｃと側壁部１２ａの間になるべく隙間が生じないようにしてある。
【０１１３】
閉鎖板３ｃの下端側は、出し入れ口１３の下部側に位置する側壁部１３１に引っ掛けて（側壁部１３１を挟み込んで）固定できるような構造となっている。即ち、図１４及び図１７に示すように、閉鎖板３ｃの下部側の長手方向の両側部分が背面側に断面Ｌ字状に引っ込んで係止片３５ａ，３５ａを構成している。そして、この係止片３５ａ，３５ａで側壁部１３１を背面側から押さえ込み、係止片３５ａ，３５ａの間に構成される残部である係止片３５ｂで側壁部１３１を正面側から押さえ込む。
【０１１４】
以上のような構成により、閉鎖板３ｃをケース本体に取り付ける場合は、図１３及び図１４に示すように、まず、閉鎖板３ｃを下から持ち上げてフランジ部１６ａの収容部１６３に嵌め入れ（差し入れ）、次いで閉鎖板３ｃを下ろして係止片３５ａ，３５ｂ，３５ｂを側壁部１３１に引っ掛ける（係止する）。これにより、閉鎖板３ｃは出し入れ口１３の外側に係止される。
【０１１５】
一方、閉鎖板３ｃをケース本体から取り外す場合は、取り付けの場合とは逆に閉鎖板３ｃを下から持ち上げて係止片３５ａ，３５ａ，３５ｂによる係止を解除し、次いで、閉鎖板３ｃの下部側を手前に引きながら全体を下ろして、収容部１６３から閉鎖板３ｃを抜き出す。
【０１１６】
なお、図９で示したスタンド機能を、収納ケースＡ６に同様に設けることもできる。これについては、後述する他の実施の形態についても同様である。
【０１１７】
（作  用）
図１３を参照して、収納ケースＡ６の作用を説明する。
収納ケースＡ６によれば、閉鎖板３ｃの上下方向の操作だけで、出し入れ口１３に閉鎖板３ｃを簡単に着脱することができる。しかも閉鎖板３ｃは上下方向から確実に係止されているので、収納ケースＡ６を傾けたとしても、閉鎖板３ｃが容易に抜け落ちることはない。
【０１１８】
収納ケースＡ６では、蓋体２を取り付けたままで閉鎖板３ｃの着脱が可能である。このため、ケース本体１を多数積み重ねて蓋体２を外せない場合でも、閉鎖板３ｃを外して物品の出し入れができる。
【０１１９】
また、例えば野菜や果物などを農家が店先や物産展等で直接販売するような場合、畑で収穫した野菜等を収納ケースＡ６に入れ、そのまま販売する場所に運んで多数積んでおく。次いで、収納ケースＡ６の閉鎖板３ｃを外せば、陳列用の棚なども必要なく、素早く且つ、美しく野菜や果物を陳列できる。
【０１２０】
なお、図１３で閉鎖板３ｃの下部側を係止する手段は、上記した係止片３５ａ，３５ａ，３５ｂの構造に限定するものではない。例えば、閉鎖板３ｃの下部側はただの板状とし、一方、出し入れ口１３の下部側に閉鎖板３ｃの下部側を嵌入れる係合溝をケース本体の長手方向に沿って設けることもできる。この場合、係合溝は、出し入れ口１３の下部側に位置する側壁部１３１の外部に設けることができる。これについては、後述する第７及び第８の実施の形態についても同様である。
【０１２１】
［実施の形態７］
図１８ないし図２０は、本発明に係る収納ケースの第７の実施の形態を示す説明図である。
図１８は、ケース本体に閉鎖板を取り付けている状態を示す収納ケースの斜視説明図、
図１９は、閉鎖板を取り付けた状態のケース本体を幅方向に断面した状態を示す部分拡大説明図で、収納ケースの背面側を一部省略して表している。
図２０は、閉鎖板の上端部に設けてある係止片の他の構造を示す要部拡大側面視説明図である。
【０１２２】
なお、第６の実施の形態に係る収納ケースＡ６（図１３参照）と同一または同等箇所には同一の符号を付して示しており、当該箇所については説明を省略して主に相異点を説明する。これについては、後述する第８の実施の形態についても同じである。
【０１２３】
また、図１８では、図示の都合上、図１３で示した縦リブ１６２,…を図示していない。ただし、フランジ部１６ａの物理的強度に支障がなければ、縦リブ１６２,…は設けないで構成することもできる。
【０１２４】
収納ケースＡ７は、閉鎖板３ｄをケース本体１の側面側から着脱できる点については第６の実施の形態と同じであるが、閉鎖板３ｄの上部側の取り付け構造が一部異なっている。
【０１２５】
即ち、閉鎖板３ｄの上部側の中央部分が、背面側に断面Ｌ字状に引っ込んで挟持片３６ａを構成している。また、この挟持片３６ａの両側には、正面側に断面Ｌ字状に張り出した挟持片３６ｂ，３６ｂが設けてある。なお、挟持片３６ａ及び挟持片３６ｂ，３６ｂは、閉鎖板３ｄの上部側を係止する手段である。
【０１２６】
そして、図１９に示すように、閉鎖板３ｄの中央部分の挟持片３６ａと長手方向の両側の挟持片３６ｂ，３６ｂによって、フランジ部１６ａの内壁部１６５を挟み込み、閉鎖板３ｄの上部側をケース本体１に係止する。
【０１２７】
なお、図２０に示すように、フランジ部１６ａの内壁部１６５に閉鎖板３ｄの上部側をスムーズに嵌め込むことができるように、両側の挟持片３６ｂ，３６ｂの上端部を内側に傾斜して形成することもできる。
【０１２８】
また、図２０で、挟持片３６ａの上端部と下端部の内側の角（点線で囲んだ部分）を丸く落とすこともできる。これより、閉鎖板３ｄをケース本体１に着脱する際に、挟持片３６ａがケース本体１内に収容された物品に引っかかることを防止できる。
【０１２９】
その他、収納ケースＡ７の作用・効果については、上述した他の実施の形態とほぼ同様であるので、説明を省略する。
【０１３０】
［実施の形態８］
図２１は、本発明に係る収納ケースの第８の実施の形態を示し、ケース本体に閉鎖板を取り付けている状態を示す収納ケースの斜視説明図、
図２２は、閉鎖板を取り付けた状態のケース本体を幅方向に断面した状態を示す要部拡大説明図である。
【０１３１】
収納ケースＡ８は、第６の実施の形態（図１３参照）と相違して、ケース本体１の出し入れ口１３ａ構造と、閉鎖板３ｅの下部側の取り付け構造が異なっている。
【０１３２】
即ち、図１０で示した第３の実施の形態のように、出し入れ口１３ａが側壁部１２ａの下端部まで開口している。出し入れ口１３ａの下縁部１３２とケース本体１の底部１７表面は、面一または実質的に面一になっている。ケース本体１の出し入れ口１３ａ側には、後述する閉鎖板３ｅの差込片３７，３７，３７を嵌め入れる孔である係合孔１７２ａ，１７２ａ，１７２ａが所定の間隔をおいて設けられている。
【０１３３】
そして、閉鎖板３ｅの下部側には、図２１及び図２２に示すように、上記した各係合孔１７２ａに嵌め入れて、閉鎖板３ｅをケース本体１に係止する差込片３７が所定の間隔をおいて三カ所設けてある。各差込片３７は、ケース本体１の内側へ向けて配置されている。
【０１３４】
各差込片３７の先端部は、係合孔１７２ａに嵌め入れやすいようにややすぼまるように形成されている。各差込片３７の上部側は、図２２に示すように、下方に傾斜した傾斜部３７１を構成している。この傾斜部３７１により、中に収容した物品（例えばＣＤ等）が差込片３７の上に載ることを防止している。つまり、物品が差込片３７の上に載ることを防止して、出し入れ口１３ａから閉鎖板３ｅをスムーズに取り外しできるようにしている。
【０１３５】
なお、図２２で示すように、本実施の形態では、閉鎖板３ｅの差込片３７は、ケース本体１の底部に設けてある台部１９よりも正面側（図２２で左側）に位置している。そこで、台部１９の内側（図２２で右側）に位置するように、係合孔１７２ａを設ければ、正面側から係止片１７２ａが見えないように構成することもできる。
【０１３６】
また、係合孔１７２ａ及び差込片３７の数と位置は、上記したものに限定するものではない。
その他、収納ケースＡ８の作用・効果については、上述した他の実施の形態とほぼ同様であるので、説明を省略する。
【０１３７】
［実施の形態９］
図２３ないし図３２は本発明に係る収納ケースの第９の実施の形態を示す説明図である。
詳しくは、図２３は出し入れ口から閉鎖板を外した状態の収納ケースの分解斜視図、
図２４は、閉鎖板を取り付けた状態の収納ケースの正面視説明図、
図２５は、図２４のII−II部分に対応する断面を示す拡大説明図、
図２６は、収納ケースの底面視説明図、
図２７は、閉鎖板の正面視説明図、
図２８は、図２７で閉鎖板の右端部分を平面側から見た拡大説明図、
図２９は、閉鎖板を取り外した状態のケース本体の正面視説明図である。
【０１３８】
図３０は、出し入れ口から他の形態の閉鎖板を外した状態の収納ケースの分解斜視図、
図３１は、閉鎖板を取り付けた状態の収納ケースの正面視説明図、
図３２は、図３１のIII−III部分に対応する断面を示す拡大説明図である。
【０１３９】
図２３に示す収納ケースＡ９では、ケース本体１ａの上に直接、他のケース本体１ａを積み重ねて載置することができる。即ち、ケース本体１ａの上部側の開口部１１は、ケース本体１ａの底部１１１とほぼ同じ大きさで形成されており、開口部１１に底部１１１を嵌め込むことができる。これにより、収納ケースＡ９,…を安定した状態で積み重ねることができる。
【０１４０】
なお、第１の実施の形態（図１参照）と同様、開口部１１を蓋体（図示省略）で閉じて使用することもできる。
【０１４１】
収納ケースＡ９では、図２３及び図３０に示すように、同じケース本体１ａに、形態が異なる二種類の閉鎖板３ｆ，３ｇを取り付けて使用できる。
【０１４２】
即ち、図２３に示すものでは、ケース本体１ａの外側から閉鎖板３ｆを着脱して、側壁部１２ｃ側に設けてある出し入れ口１３ｂを開閉できる。
また、図３０に示すものでは、ケース本体１ａの内部側から閉鎖板３ｇを着脱して、出し入れ口１３ｂを開閉できる。
【０１４３】
以下、収納ケースＡ９の各構成部材について、順を追って詳しく説明する。
なお、第１の実施の形態に係る収納ケースＡ１と同一または同等箇所には同一の符号を付して示しており、当該箇所については説明を省略して主に相異点を説明する。
【０１４４】
図２３に示すように、ケース本体１ａは、下方へ向けややすぼまるように各側壁部がやや斜めに設けてある。なお、各側壁部を底部に対して垂直またはほぼ垂直状態にして、ケース本体１ａを形成することもできる。
【０１４５】
ケース本体１ａの各側壁部には、補強のために、所要の位置にリブ６が多数設けられている。ただし、リブ６は図示した配置に限定されるものではない。図２３で符号６１０，６１０は、開口により形成された把持部を示している。
【０１４６】
図２５で、出し入れ口１３ｂの下縁部１３２とケース本体１ａの底部１７の内側は、面一または実質的に面一になっている。これにより、段部などによって引っ掛かることなく、物品を出し入れ口１３ｂからスムーズに出し入れできる。
【０１４７】
図２５及び図２６に示すように、ケース本体１ａの底部外側には、補強のために、リブ６が格子状に複数設けられている。
【０１４８】
図２５に示すように、出し入れ口１３ｂの下部側には、閉鎖板３ｆの下部側（後述する差込部３９１）を嵌め入れ可能な係合溝６３が設けてある。出し入れ口１３ｂと対向する（向かい合わせに位置する）側壁部１２ｃの下部側にも、係合溝６３と同じ形状の係合溝６３ａが設けてある。この係合溝６３ａにより、側壁部１２ｃの内側には、出し入れ口１３ｂから取り外した閉鎖板３ｆを着脱可能に収容できる収容部１５が構成される。
【０１４９】
係合溝６３，６３ａの底部には、図２６に示すように、溝の中に入ったゴミや埃を底面側へ排出する孔６３１が所要数（本実施の形態では、各溝毎に二カ所）設けてある。
【０１５０】
図２９に示すように、出し入れ口１３ｂの左右両側には、出し入れ口１３ｂの高さ方向の全高にわたって薄板状の係止部７２０，７２０が設けてある。この係止部７２０，７２０に、閉鎖板３ｆ（図２７参照）の左右両側の係止受部３８，３８が当接する。係止受部３８，３８は、閉鎖板３ｆの高さ方向に所定の長さで設けてある。係止受部３８，３８は、図２８に示すように、正面側から側方にやや張り出して設けてあり、係止部７２０，７２０の正面側に係止受部３８，３８の背面部３８１，３８１が当接する。
【０１５１】
閉鎖板３ｆは、出し入れ口１３ｂを閉じることができる大きさで、略方形状に形成されている。閉鎖板３ｆの下部側は、上記したケース本体１ａの係合溝６３に嵌め入れ可能な板状の差込部３９１を構成している。
【０１５２】
閉鎖板３ｆの上部側は板状の係止部３９２を構成している。符号１６は、出し入れ口１３ｂを囲む枠部のうち、出し入れ口１３ｂの上部側に位置する横枠を示している。この係止部３９２は、図２５に示すように、閉鎖板３ｆをケース本体１ａに取り付けたときに、ケース本体１ａの横枠１６の背面側に係止される。
【０１５３】
図２７に示すように、閉鎖板３ｆの正面側には、補強のために、所要の位置にリブ３０が多数設けられているが、特にこの配置に限定するものではない。閉鎖板３ｆの略中央部分に設けられた横方向のリブ３０ａは、着脱時の把持部の役割も果たしている。
【０１５４】
図２３及び図２５を参照して、閉鎖板３ｆの取り付け方を説明する。
まず、図２５において想像線で示すように、上部側が出し入れ口１３ｂ側へ向くように、閉鎖板３ｆをやや傾ける。その状態で、閉鎖板３ｆの係止部３９２を横枠１６の下方から差し入れて、係止部３９２を横枠１６の背面側に係合させる。次いで、上部側を係合させた状態で係止部７２０，７２０に係止受部３８，３８を当ててスライドさせながら閉鎖板３ｆを下ろし、差込部３９１をケース本体１ａの係合溝６３に嵌め入れる。このようにして、閉鎖板３ｆの上辺部、両側辺部、下辺部をそれぞれ係止し、出し入れ口１３ｂを閉じる。閉鎖板３ｆを出し入れ口１３ｂから取り外す際は、上記した逆の手順で行う。
このように、閉鎖板３ｆの上下方向の操作だけで、出し入れ口１３ｂに閉鎖板３ｆを簡単に着脱することができる。
【０１５５】
図２９に示すように、横枠１６の上面部１６７は、ケース本体１ａの上面部１６８よりも一段低くなっている。この上面部１６７に、図３０に示す閉鎖板３ｇの引掛部３９３が上から被さるように当接する。
【０１５６】
ケース本体１ａには、上記したように、図３０に示す閉鎖板３ｇも取り付け可能となっている。閉鎖板３ｇの上部側には、側面視で略コ状に折り曲げて形成された引掛部３９３が設けてある。そして、閉鎖板３ｇの取り付けは、ケース本体１ａの内部側から行う。
【０１５７】
即ち、閉鎖板３ｇをケース本体１ａの上から出し入れ口１３ｂの内部側に沿って落とし込む。そして、閉鎖板３ｇの下端部３９４をケース本体１ａの係合溝６３に差し込むと共に、引掛部３９３を横枠１６の上面部１６７に引っ掛ける。これで、出し入れ口１３ｂを閉鎖板３ｇで閉じることができる。
【０１５８】
図３１に示すように、閉鎖板３ｇで出し入れ口１３ｂを閉じた場合、引掛部３９３の上面部は、ケース本体１ａの上面部１６８と面一または実質的に面一となる。このように、閉鎖板３ｇの引掛部３９３は上に出っ張っていないので、ケース本体１ａ同士を上下に重ねても、引掛部３９３が邪魔になるようなことはない。
【０１５９】
なお、ケース本体１ａの各側壁部に格子状の孔を多数設けて、収納ケースの軽量化を図ることもできる。
【０１６０】
（作  用）
図２３及び図３０に示すように、収納ケースＡ９によれば、同じケース本体１ａに、形態が異なる二種類の閉鎖板３ｆ，３ｇを取り付けることができる。
【０１６１】
図２３に示す閉鎖板３ｆの場合、閉鎖板３ｆをケース本体１ａの外側から着脱できる。したがって、ケース本体１ａを上下に重ねた状態でも、閉鎖板３ｆの開閉が自由に行える。
【０１６２】
図３０に示す閉鎖板３ｇの場合では、閉鎖板３ｇを上から差し入れるだけで、閉鎖板３ｇを簡単に取り付けできる。また、出し入れ口１３ｂを閉じた状態で物品を収容すれば、閉鎖板３ｆは物品によって内部から押される。しかも閉鎖板３ｇは四辺部分すべてが内側から係止されているため、出し入れ口１３ｂから外れないようになっている。
更に、収納ケースＡ９を上下に重ねた状態では、閉鎖板３ｇの引掛部３９３はケース本体１ａの底部で押さえつけられているため、閉鎖板３ｇを取り外すことはできない。よって、収納ケースＡ９を重ねた状態で運べば、閉鎖板３ｇが不用意に外れることがない。
したがって、例えば野菜や果物を積めた収納ケースＡ９をトラックで輸送する場合などに好適に使用できる。
【０１６３】
更に各閉鎖板３ｇ，３ｆは、不使用時に背面側の収容部１５に収容できるので、閉鎖板３ｇ，３ｆの紛失を防止できる。
その他の作用・効果については、既に説明した他の実施の形態とほぼ同様であるので、説明を省略する。
【０１６４】
［実施の形態１０］
図３３は本発明に係る収納ケースの第１０の実施の形態を示し、収納ケースの下部側を縦断面説明図、
図３４は収納ケースの平面視説明図である。
【０１６５】
なお、第９の実施の形態と同一または同等箇所には同一の符号を付して示している。また、第９の実施の形態で示してある箇所については、説明を省略し、主に相異点を説明する。これについては、後述する他の実施の形態についても同様である。
【０１６６】
図３３に示す収納ケースＡ１０では、図２５に示す収納ケースＡ９と相違して、ケース本体１ｂの底部１７ａの内側は接地面と実質的に同じ高さである。これにより、出し入れ口１３ｂの下部側に位置する側壁部１３１は、底部１７ａの内側よりもやや高くなっている。よって、書籍やＣＤ等を収納した場合、物品は側壁部１３１に引っ掛かるので、取り扱い等で収納ケースＡ１０を多少傾けたりしても簡単には抜け落ちない。
【０１６７】
符号１４ｄは細長い板状の係止部材を示している。係止部材１４ｄは、図３２に示すように、側壁部１３１と所要間隔をおいて並設してある。この係止部材１４ｄと側壁部１３１によって、閉鎖板３ｇの下端部を嵌め入れ可能な係合溝６３が構成されている。係合溝６３ａは、背面側の側壁部１３１ａ側にも設けてある。
【０１６８】
図３４に示すように、係止部材１４ｄ，１４ｄは、ケース本体１ｂ内部の長辺部全長にわたって設けてあり、途中できれていない。よって、角部は形成されず、野菜や果物等を収容した場合でも、商品に傷が付きにくい。
その他の作用・効果については、既に説明した他の実施の形態とほぼ同様であるので、説明を省略する。
【０１６９】
［実施の形態１１］
図３５は本発明に係る収納ケースの第１１の実施の形態を示しており、ケース本体の側面に設けてある出し入れ口から閉鎖板を外した状態を示す分解斜視図、
図３６は閉鎖板を取り付けた後の状態の収納ケースの縦断面説明図である。
【０１７０】
収納ケースＡ１１では、図２３に示す収納ケースＡ９と相違して、出し入れ口１３ｃは狭くなっており、ケース本体１ｃの上側寄りに設けてある。出し入れ口１３ｃの下部側は側壁部１３１ａが位置し、側壁部１３１ａで中と外を区画している。
【０１７１】
出し入れ口１３ｃの大きさは、図示したものに特に限定するものではなく、収容する物品の大きさ等に応じて適宜設定される。
【０１７２】
（作  用）
収納ケースＡ１１によれば、側壁部１３１ａにより中の収容物が容易に外へこぼれ落ちないようになっている。収納ケースＡ１１は、例えば野菜や果物などの陳列用の収納ケースとして好適に使用できる。例えば、閉鎖板３ｈを外した状態で、収納ケースＡ１１を上下に多数重ねて使用することができる。
【０１７３】
［実施の形態１２］
図３７は、本発明に係る収納ケースの第１２の実施の形態を示し、出し入れ口から閉鎖板を外した状態の収納ケースの分解斜視説明図、
図３８は、ケース本体の底部内面に設けてある突条部を正面側から見た部分拡大説明図で一部を断面して表している。
図３９は、閉鎖板で出し入れ口を閉じた状態の収納ケースの正面視説明図、
図４０は、図３９のIV−IV部分に対応する断面を示す拡大説明図であり、閉鎖板を出し入れ口から取り外している状態を表している。
図４１は、突条部の他の実施の形態を示す収納ケースの部分拡大断面説明図である。
【０１７４】
なお、本実施の形態では、書類等を入れた封筒、本、雑誌、冊子、書類、あるいはファイルケース等（以下、本や書類等Ｄという）を収容した場合を例に挙げて図示している。
【０１７５】
収納ケースＡ１２は、実施の形態９に係る収納ケースＡ９（図２３参照）と以下の二つの点で主に異なっている。
一つは、ケース本体１ａに立てた状態で収容した本や書類等Ｄの傾倒を防止した点、もう一つは、多少の衝撃を受けても閉鎖板３ｆが出し入れ口１３ｂから簡単に外れないようにした点である。
以下、収納ケースＡ１２の各構成部材について、順を追って詳しく説明する。
【０１７６】
▲１▼ 本や書類等Ｄの傾倒を防止した点
図３７に示すように、ケース本体１ａの底部１７内面側には、滑り止めである突条部１７６,…が複数並設されている。詳しくは、図３８に示すように、突条部１７６,…は、合成樹脂製でケース本体１ａと一体成形されており、ケース本体１ａの長手方向へ（本や書類等Ｄを並べる方向へ）所要間隔で複数並設されている。
【０１７７】
なお、 突条部１７６,…の長さ、間隔、及び数等は特に限定されない。また図４０に示すように、本実施の形態では、突条部１７６の頂部は出し入れ口１３ａの下縁部１３２上面と面一または本質的に面一になっているが、特に高さについても限定されない。
【０１７８】
以上のような構成により、ケース本体１ａ内に立てた状態で並置される本や書類等Ｄは、図３８に示すように、その下端部が突条部１７６,…によって係止され滑りによる傾倒が防止される。したがって、ブックエンド等を本や書類等Ｄの側面にあてがう煩わしさがなく、利便性が高い。
【０１７９】
なお、収容対象となる本や書類等Ｄは、出し入れ口１３ｂから自由に出し入れ可能な大きさのものが好ましい。なぜなら、収納ケースＡ１２を上下に重ねた状態で使用する場合、本や書類等Ｄの出し入れを側面の出し入れ口１３ｂから行うからである。
【０１８０】
本実施の形態では、図３８に示すように、突条部１７６,…の断面は上面部が平らな山形状となっているが、特にこれに限定するものはなく、例えば、円弧状、三角形状、長方形状、正方形状、あるいはその他の多角形や異形状（不規則な形状）等を採用することもできる。
【０１８１】
また、図３８及び図４０に示すように、突条部１７６,…は、長手方向の一端側が出し入れ口１３ｂ側へやや下り傾斜した傾斜面１７７を有している。これにより、出し入れ口１３ｂから本や書類等Ｄを入れる際の引っ掛かりを防止している。
【０１８２】
なお、図４１に示すように、突条部１７６を出し入れ口１３ａの下縁部１３２上に出るように構成した場合は、図示のように下縁部１３２上面に対する傾斜面１７７ａの角度を鋭角にすることもできる。このようにすれば、出し入れ口１３ｂから本や書類等Ｄを入れる際の引っかかりを効果的に防止できる。
【０１８３】
なお、突条部１７６,…を合成樹脂以外の材料、例えばスポンジ、ゴム、木製材料、あるいはそれらの組み合わせ等やその他の材料で形成することもできる。
【０１８４】
また、突条部１７６,…を備えた滑り止めをケース本体１ａに着脱可能に設けることもできる。その一つの例として、プラスチック板の表面に突条部１７６,…を多数並設し、このプラスチック板をケース本体１ａの底部１７内面に載置して使用することが挙げられる。
【０１８５】
また他の例として、滑り止め効果を有する材料（ゴム、ポリウレタン樹脂、あるいはそれらに滑り止め模様を施したもの等）でマットを作製し、それをケース本体１ａの底部１７内面に敷き込むことが挙げられる。なお、マットの形態とした場合、マットの下面は、合成樹脂製の底部１７内面に対して密着性が良いものが好ましい。またマットは一枚構造でも、材質の異なるシートを複数枚合わせたものでも良い。
更に、マットの形態ではなく、滑り止めをテープ状に形成し（帯状体として形成し）、それを接着等によって底部１７内面に固定する方法も挙げられる。
【０１８６】
このように、滑り止めをケース本体１ａから取り外せるようにすれば、特に滑り止めが必要としない物品（野菜や衣類等）の収容にも好適に使用できる。
【０１８７】
なお、本実施の形態で説明した滑り止めについては、上記した他の実施の形態１〜１１に係る収容ケースにも採用できることは言うまでもない。
【０１８８】
▲２▼ 多少の衝撃を受けても閉鎖板３ｆが簡単に外れないようした点
図３７及び図３９に示すように、閉鎖板３ｆの上部側には板状の係止部３９２が設けてある。更に、係止部３９２の正面側のほぼ中央下寄りには、閉鎖板３ｆが出し入れ口１３ｂから外れないようにするストッパー部３９２ａが設けてある。ストッパー部３９２ａは、正面視で長方形状に形成された薄板状である。ストッパー部３９２ａの左右両側の正面部分は、使用中に指が触れて怪我することがないように角を落として形成してあるが、特にこの形状に限定されない。
【０１８９】
図３９及び図４０(ａ)に示すように、閉鎖板３ｆで出し入れ口１３ｂを閉じた状態では、ストッパー部３９２ａは、出し入れ口１３ｂの上部側に位置するケース本体１ａの横枠１６の下面部１６９に当接した状態となっている。即ち、図４０(ａ)に示すように、ストッパー部３９２ａの高さ方向の長さは、上記横枠１６の下面部１６９と、閉鎖板３ｆの上部側の横リブ３０ｂ間との距離とほぼ同じである。
【０１９０】
よって、閉鎖板３ｆは、ケース本体１ａの横枠１６と出し入れ口１３ａの下縁部１３２により、上下方向から挟まれた状態で出し入れ口１３ｂに固定され、上方向への動きが防止されている。
【０１９１】
更に、図３７に示すように、出し入れ口１３ｂの左右両側には、上記した薄板状の係止部７２０，７２０が設けてあり、この係止部７２０，７２０に、閉鎖板３ｆの左右両側の係止受部３８，３８が当接している（実施の形態９で示した図２８参照）。よって、上記したストッパー部３９２ａの作用により閉鎖板３ｆは上方向への動きが防止されると共に、ケース本体１ａの内方へ倒れることもない。したがって、例えば収納ケースＡ１２の運搬時等に多少の衝撃を受けても、出し入れ口１３ｂから閉鎖板３ｆが簡単に外れるような恐れはない。
【０１９２】
また、出し入れ口１３ｂを閉じた状態（図４０(ａ)参照）では、ケース本体１ａの横枠１６は、下方から閉鎖板３ｆで支持された状態となっている。よって、横枠１６に手をついたり、重いものを載せたりした場合でも、横枠１６が変形したり破損したりする等の不都合は生じにくい。
【０１９３】
更に閉鎖板３ｆの取り外しは、以下のような手順で行う。
閉鎖板３ｆは可撓性または変形性を有する合成樹脂製であり、図４０(ａ)の想像線に示すように、上部側を内方に湾曲させることができ、更に外力がなくなればその弾性によって元の位置に復帰する構造となっている。
【０１９４】
よって、まず図４０(ａ)に示すように、出し入れ口１３ｂ外側から閉鎖板３ｆの上部中央部分を押し、閉鎖板３ｆの上部側を内方に湾曲させて、ストッパー部３９２ａと係止部３９２の横枠１６に対する当接状態（係止状態）を解除する。次いで、閉鎖板３ｆを傾けたまま上方に持ち上げ、下端部を係合溝６３から抜き、最後に図４０(ｂ)に示すように、閉鎖板３ｆの下端部を下方から出し入れ口１３ｂ外へ引き出す。後は、閉鎖板３ｆを下から抜き出し、出し入れ口１３ｂから取り外す。
なお、閉鎖板３ｆで出し入れ口１３ｂを閉じる際は、上記した逆の手順で行う。
【０１９５】
このように、複雑な操作をしなくても、単に閉鎖板３ｆを撓ませるかまたは変形させるだけでストッパー部３９２ａの働きを解除することができるので、閉鎖板３ｆの取り外しが楽である。
【０１９６】
また、ケース本体１ａの横枠１６が可撓性または変形性を有している場合は、横枠１６側を湾曲させてストッパー部３９２ａによる係止を解除することもできる。更に、横枠１６と閉鎖板３ｆが共に可撓性または変形性を有している場合は、どちらとも湾曲させて互いの係合状態を解除することもできる。
【０１９７】
本実施の形態では、図４０(ａ)に示すように、出し入れ口１３ｂを閉じた状態で、閉鎖板３ｆのストッパー部３９２ａは、ケース本体１ａの横枠１６に当接した状態となっている。ただし、閉鎖板３ｆの上方向へ移動により、閉鎖板３ｆが出し入れ口１３ｂから外れない限度（閉鎖板３ｆの下端部が係合溝６３から外れない限度）であれば、横枠１６とストッパー部３９２ａの間に多少の隙間を設け、上方に若干移動できるようにしても良い。
【０１９８】
更に、フランジ部１６が有する反発力（押圧力）を利用して、閉鎖板３ｆを出し入れ口３ｆに固定するような構成とすることもできる。詳しくは、横枠１６に可撓性または変形性をもたせ、閉鎖板３ｆで出し入れ口３ｆを閉じた場合に、ストッパー部３９２ａの上部側が横枠１６に所要の圧力をもって接触するように、ストッパー部３９２ａの高さを設定する。そして、横枠１６の中央部分を手で上方に変形させ、手を放して元の位置に復帰する反発力でストッパー部３９２ａを押圧するように構成することができる。
【０１９９】
なお、本実施の形態で説明した閉鎖板３ｆのストッパー機能については、上記した実施の形態９〜１１に係る収納ケースにも採用できることは言うまでもない。
【０２００】
本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【０２０１】
【発明の効果】
本発明は上記構成を備え、次の効果を有する。
（ａ）ケース本体の開口部を閉じる蓋体を有しているものは、閉鎖板の下部側をケース本体の内部側に係止し、閉鎖板の上部側を蓋体によって上から係止することで、出し入れ口を閉じた閉鎖板を実質的に固定することができる。このように、少なくとも閉鎖板の上部側と下部側を部分的に係止すれば良いので、閉鎖板を簡単に着脱することができる。また、閉鎖板は蓋体で閉じたケース本体の内部に設けられるので、収納ケースを傾けたとしても閉鎖板は抜け落ちない。
【０２０２】
（ｂ）蓋体の上面側またはケース本体の底部側の一方または双方に、積み重ねた際に、実質的に蓋体とケース本体の位置がずれないようにするための手段が設けてあるもの、またはケース本体同士が積み重ねできるように構成されており、ケース本体に、積み重ねた際にケース本体同士の位置がずれないようにするための手段が設けてあるものは、閉鎖板を外した状態でケース本体を多数積み重ねれば、例えばＣＤラックや本棚のようにして収納ケースを使用できる。したがって、ケース本体から頻繁に出し入れするような物品の収容に特に好適に使用できる。また、閉鎖板をケース本体の外側から着脱できるように構成すれば、収納ケースを多数積み重ねて蓋体を外せない場合でも、閉鎖板を外すことで出し入れ口から物品の出し入れが自由にできる。
【０２０３】
（ｃ）出し入れ口の上部側と閉鎖板の上部側にそれぞれ設けてある係止部と係止受部を係合させ、係合した状態で閉鎖板を下ろして閉鎖板の下部側と出し入れ口の下部側にそれぞれ設けてある係止部と係止受部を係合させることにより、閉鎖板がケース本体の外側から出し入れ口を閉じることができるように構成されているものは、閉鎖板の上下方向の操作だけで、出し入れ口に閉鎖板を簡単に着脱することができる。しかも閉鎖板は上下方向から確実に係止されているので、収納ケースを傾けたとしても、閉鎖板が容易に抜け落ちることはない。
また、ケース本体の外側から出し入れ口への閉鎖板の取り付け、取り外しができるので、蓋体をケース本体に取り付けたままで、閉鎖板の着脱が可能である。
【０２０４】
（ｄ）ケース本体内の底面側に木製の板体が設けてあるものは、木目の美しさや温かさといった、木そのものが持つ素材の良さを備えた収納ケースを得ることができる。また、木製の板体を使用することで、ケース本体の主に底部側の強度を上げることができる。これにより、例えば百科事典などの重量の物品を収納した場合でも、ケース本体の変形や破損を防止することができる。
【０２０５】
（ｅ）ケース本体に着脱可能で、出し入れ口を閉じることができる閉鎖板を備えているものは、閉鎖板を使い分けることで、出し入れ口をケース本体の内部側から閉じることができるし、ケース本体の外側からも閉じることができる。出し入れ口をケース本体の内部側から閉じることができるものでは、出し入れ口を閉じた状態で物品を収容すれば、閉鎖板は物品によって内部から押され、出し入れ口から容易に外れない。したがって、物品の搬送時等に好適に使用できる。また、ケース本体の外側から出し入れ口を閉じることができるものでは、ケース本体を上下に重ねた状態でも出し入れ口の開閉ができるので、例えば陳列用の収納ケースとして好適に使用できる。
【０２０６】
（ｆ）ケース本体の出し入れ口が設けてある側壁部と対向する側壁部の内側に、上記出し入れ口から取り外した閉鎖板を収容できる収容部が設けてあるものは、取り外した後の閉鎖板が紛失することを防止できる。
【０２０７】
（ｇ）収納した物品が倒れないように支えるための支持部材がケース本体に設けてあるものでは、物品を倒れないように収納できる。
【０２０８】
（ｈ）閉鎖板が出し入れ口から外れないようにするストッパーが設けてあるものでは、ストッパーの作用により、出し入れ口を閉じた閉鎖板の上方向への動きが防止されるか、または閉鎖板が出し入れ口から外れない限度で上方向への動きが防止される。したがって、ストッパーの働きを解除しなければ、閉鎖板を上方向に動かして閉鎖板を取り外すことができないので、多少の衝撃を受けたとしても、出し入れ口から閉鎖板が簡単に外れるような恐れはない。
【０２０９】
（ｉ）ストッパーが閉鎖板に設けてあり、出し入れ口の枠部に当接または圧接することにより閉鎖板を出し入れ口から外れないようにし、閉鎖板または／及び枠部を撓ませるかまたは変形させて上記当接または圧接状態を解除することにより、閉鎖板を出し入れ口から取り外せるようにしてあるものでは、複雑な操作をしなくても、単に閉鎖板または／及び枠部を撓ませるかまたは変形させるだけでストッパーの働きを解除することができるので、閉鎖板の取り外しが楽である。
【０２１０】
（ｊ）立てた状態で収容する物品の傾倒を防止する滑り止め手段がケース本体の底部内面側に設けてあるものでは、例えば本や書類等の物品の傾倒が防止されるので、ブックエンド等を本や書類等の側面にあてがう煩わしさがなく、利便性が高い。
【図面の簡単な説明】
【図１】  第１の実施の形態に係る収納ケースの斜視説明図。
【図２】  蓋体を外した状態のケース本体の斜視説明図。
【図３】  収納ケースの使用状態を示す斜視説明図。
【図４】  ケース本体の正面視説明図。
【図５】  ケース本体の平面視説明図。
【図６】  蓋体の底面視説明図。
【図７】  図１に示す収納ケースを幅方向に断面した状態を示す拡大説明図。
【図８】  第２の実施の形態に係る収納ケースの使用状態を示す斜視説明図
【図９】  収納ケースのスタンド機能を説明する部分拡大説明図。
【図１０】  本発明に係る収納ケースの第３の実施の形態を示し、閉鎖板を嵌め入れている状態を示すケース本体の斜視説明図。
【図１１】  本発明に係る収納ケースの第４の実施の形態を示し、閉鎖板を嵌め入れている状態を示すケース本体の斜視説明図である。
【図１２】  本発明に係る収納ケースの第５の実施の形態を示し、閉鎖板を嵌め入れている状態を示すケース本体の斜視説明図。
【図１３】  本発明に係る収納ケースの第６の実施の形態を示し、ケース本体に閉鎖板を取り付けている状態を示す収納ケースの斜視説明図。
【図１４】  閉鎖板を取り付けた状態を示す収納ケースの斜視説明図。
【図１５】  閉鎖板の正面視説明図。
【図１６】  閉鎖板を取り付けた状態のケース本体の正面視説明図。
【図１７】  図１６に示すケース本体のＩ−Ｉ部分に対応する断面を示す拡大説明図。
【図１８】  本発明に係る収納ケースの第７の実施の形態を示し、ケース本体に閉鎖板を取り付けている状態を示す収納ケースの斜視説明図。
【図１９】  閉鎖板を取り付けた状態のケース本体を幅方向に断面した状態を示す部分拡大説明図。
【図２０】  閉鎖板の上端部に設けてある係止片の他の構造を示す要部拡大側面視説明図。
【図２１】  本発明に係る収納ケースの第８の実施の形態を示し、ケース本体に閉鎖板を取り付けている状態を示す収納ケースの斜視説明図
【図２２】  閉鎖板を取り付けた状態のケース本体を幅方向に断面した状態を示す要部拡大説明図。
【図２３】  出し入れ口から閉鎖板を外した状態の収納ケースの分解斜視図。
【図２４】  閉鎖板を取り付けた状態の収納ケースの正面視説明図。
【図２５】  図２４のII−II部分に対応する断面を示す拡大説明図。
【図２６】  収納ケースの底面視説明図。
【図２７】  閉鎖板の正面視説明図。
【図２８】  図２７で閉鎖板の右端部分を平面側から見た拡大説明図。
【図２９】  閉鎖板を取り外した状態のケース本体の正面視説明図。
【図３０】  出し入れ口から他の形態の閉鎖板を外した状態の収納ケースの分解斜視図。
【図３１】  閉鎖板を取り付けた状態の収納ケースの正面視説明図。
【図３２】  図３４のIII−III部分に対応する断面を示す拡大説明図。
【図３３】  本発明に係る収納ケースの第１０の実施の形態を示し、収納ケースの下部側を縦断面説明図。
【図３４】  収納ケースの平面視説明図。
【図３５】  本発明に係る収納ケースの第１１の実施の形態を示しており、ケース本体の側面に設けてある出し入れ口から閉鎖板を外した状態を示す分解斜視図。
【図３６】  閉鎖板を取り付けた後の状態の収納ケースの縦断面説明図。
【図３７】  本発明に係る収納ケースの第１２の実施の形態を示し、出し入れ口から閉鎖板を外した状態の収納ケースの分解斜視説明図。
【図３８】  ケース本体の底部内面に設けてある突条部を正面側から見た部分拡大説明図。
【図３９】  閉鎖板で出し入れ口を閉じた状態の収納ケースの正面視説明図。
【図４０】  図３９のIV−IV部分に対応する断面を示す拡大説明図。
【図４１】  突条部の他の実施の形態を示す収納ケースの部分拡大断面説明図。
【図４２】  従来の収納ケースを示す斜視説明図。
【図４３】  従来の収納ケースの他の構造を示す斜視説明図。
【図４４】  従来の収納ケースの更に他の構造を示す斜視説明図。
【符号の説明】
Ａ１〜Ａ１２  収納ケース
Ｂ  コンパクトディスク
１，１ａ，１ｂ，１ｃ  ケース本体
１１  開口部
１２ａ，１２ｂ，１２ｃ  側壁部
１３, １３ａ，１３ｂ  出し入れ口
１３１，１３１ａ  側壁部
１３２  下縁部
１４  ケース本体
１４ａ，１４ｂ  係止部
１４ｃ，１４ｄ  係止部材
１５  収容部
１６ａ，１６ｂ，１６ｃ  フランジ部
１６１  切欠部
１６２  縦リブ
１６３  収容部
１６４  リブ
１６５  内壁部
１６６  ガイド片
１７，１７ａ  底部
１７２，１７２ａ  係合孔
１７３  係合溝
１７４  係止部
１７５  係止溝
１８  ガイド溝
１８１  係合部
１９  台部
２  蓋体
２１  ストッパー
２２  係止部
２２１  角部
２３  凹部
３，３ａ，３ｂ，３ｃ，３ｄ，３ｅ，３ｆ，３ｇ，３ｈ  閉鎖板
３０，３０ａ  リブ
３１  差込片
３２  切欠部
３３  把手
３４  切欠部
３５ａ，３５ｂ  係止片
３６ａ，３６ｂ  挟持片
３７  差込片
３７１  傾斜部
４  スタンド
４１  支持部
４２  足部
４２１  係止部
５  板体
５１  側壁部
６  リブ
１４ｄ，１４ｄ 係止部材
６３，６３ａ  係合溝
６３１  孔
３８  係止受部
１１１  底部
６１０  把持部
７２０  係止部
１６  横枠
１６７  上面部
１６８  上面部
３９１  差込部
３９２  係止部
３９３  引掛部
３９４  下端部
１６９  下面部
１７６  突条部
１７７，１７７ａ  傾斜面
Ｄ  本や書類等
３９２ａ  ストッパー
３０ｂ  横リブ
【図１】
0003701272.tif 000002
【図２】
0003701272.tif 000003
【図３】
0003701272.tif 000004
【図４】
0003701272.tif 000005
【図５】
0003701272.tif 000006
【図６】
0003701272.tif 000007
【図７】
0003701272.tif 000008
【図８】
0003701272.tif 000009
【図９】
0003701272.tif 000010
【図１０】
0003701272.tif 000011
【図１１】
0003701272.tif 000012
【図１２】
0003701272.tif 000013
【図１３】
0003701272.tif 000014
【図１４】
0003701272.tif 000015
【図１５】
0003701272.tif 000016
【図１６】
0003701272.tif 000017
【図１７】
0003701272.tif 000018
【図１８】
0003701272.tif 000019
【図１９】
0003701272.tif 000020
【図２０】
0003701272.tif 000021
【図２１】
0003701272.tif 000022
【図２２】
0003701272.tif 000023
【図２３】
0003701272.tif 000024
【図２４】
0003701272.tif 000025
【図２５】
0003701272.tif 000026
【図２６】
0003701272.tif 000027
【図２７】
0003701272.tif 000028
【図２８】
0003701272.tif 000029
【図２９】
0003701272.tif 000030
【図３０】
0003701272.tif 000031
【図３１】
0003701272.tif 000032
【図３２】
0003701272.tif 000033
【図３３】
0003701272.tif 000034
【図３４】
0003701272.tif 000035
【図３５】
0003701272.tif 000036
【図３６】
0003701272.tif 000037
【図３７】
0003701272.tif 000038
【図３８】
0003701272.tif 000039
【図３９】
0003701272.tif 000040
【図４０】
0003701272.tif 000041
【図４１】
0003701272.tif 000042
【図４２】
0003701272.tif 000043
【図４３】
0003701272.tif 000044
【図４４】
0003701272.tif 000045